(57)【要約】【課題】再生専用の光ディスク再生装置においても、コンテンツの編集を可能とする。【解決手段】光ディスク再生装置１にデータ編集手段６１と不揮発性メモリ７を設け、光ディスク媒体２のビデオオブジェクト２ｃの再生順序を編集したものを不揮発性メモリ７に記録し、次回、同ディスク再生時において、光ディスク媒体２に記憶される管理情報２ａ及びアドレス参照情報２ｂではなく、不揮発性メモリ７に記憶される光ディスク媒体２の編集済管理情報及びアドレス情報７１に基づいてビデオオブジェクト２ｃの再生を行う。【選択図】図２
2007294065.tif 000002
【特許請求の範囲】
【請求項１】
１つ以上のコンテンツデータと、該コンテンツデータのタイトルメニューなどを含む管理情報と、前記コンテンツデータの所定のポイントを指し示すためのアドレス参照情報を記録する光ディスク媒体からデータの読み込み若しくは読み書きを行うディスクユニットと、
前記ディスク装置にセットされる前記光ディスク媒体に記録される前記管理情報、前記コンテンツデータ、及び前記アドレス参照情報の取得を行うデータ取得手段と、
取得した前記管理情報、前記コンテンツデータ及び前記アドレス参照情報の編集処理を行うデータ編集手段と、
前記データ編集手段により編集された前記管理情報及び前記アドレス参照情報を記録する不揮発性記録手段と、
を備える光ディスク再生装置であって、前記データ編集手段は、前記データ取得手段により取得する前記アドレス参照情報を編集することにより、前記コンテンツデータの再生順序の変更や一部削除を行い、編集済みアドレス参照情報を前記不揮発性記録手段に記録し、編集作業後に当該光ディスク媒体を再生する際、前記コンテンツデータの再生順を前記不揮発性記録手段に記録される編集済みアドレス参照情報による再生順とすることを特徴とするコンテンツ編集機能を有する光ディスク再生装置
【請求項２】
前記データ編集手段は、光ディスク媒体に記録される前記アドレス参照情報を編集する際に、該アドレス参照情報を前記不揮発性記録手段に複製を記録し、該アドレス参照情報の複製に対して編集作業を行うことを特徴とする請求項１記載のコンテンツ編集機能を有する光ディスク再生装置
【請求項３】
前記データ編集手段は、光ディスク媒体に記録される前記アドレス参照情報と、前記編集済みアドレス参照情報との差分を、前記不揮発性記録手段に記録することを特徴とする請求項１又は２記載のコンテンツ編集機能を有する光ディスク再生装置
【発明の詳細な説明】
【技術分野】
【０００１】
本発明は、再生機能しかない光ディスク装置であっても、光ディスクに記録されたコンテンツに対してユーザによる編集を可能とする、コンテンツ編集機能を有する光ディスク再生装置に関する。
【背景技術】
【０００２】
従来のＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク再生装置であって、特に再生専用である装置において、ディスクへの書き込みができないため、ディスク内に記録されたコンテンツの編集、例えば映像の編集を行うことができないという問題点があった。
【０００３】
特許文献１では、これを解決するため、記録媒体に記録されるトラック管理情報を編集し、編集済みトラック管理情報を着脱可能メモリに記憶し、次回当該記録媒体を再生する際に、着脱可能メモリに記憶されるトラック管理情報に基づいて再生を行う情報処理装置を開示している。
【０００４】
また、特許文献２では、光ディスクに記録されるディスク管理データを編集し、別途備えるデータ記録手段に記録することで、次回当該光ディスクを使用する際に、ユーザ自身で操作しやすい操作画面を作成する機能を持ったディスク再生装置を開示している。
【０００５】
【特許文献１】特開２００４−３６２６８２号公報
【特許文献２】特開２００４−７９０８５号公報
【発明の開示】
【発明が解決しようとする課題】
【０００６】
しかしながら特許文献１の方法では、管理情報が複雑であるＤＶＤ媒体に適用するのは困難であり、特許文献２の方法では、操作画面の変更はできても、コンテンツの再生順序を自在に編集することができなかった。
【０００７】
本発明は上記課題を鑑みてなされたものであり、より柔軟な編集を可能とするコンテンツ編集機能を有する光ディスク再生装置を提供することを目的とする。
【課題を解決するための手段】
【０００８】
請求項１に係るコンテンツ編集機能を有する光ディスク再生装置は、１つ以上のコンテンツデータと、該コンテンツデータのタイトルメニューなどを含む管理情報と、前記コンテンツデータの所定のポイントを指し示すためのアドレス参照情報を記録する光ディスク媒体からデータの読み込み若しくは読み書きを行うディスクユニットと、
前記ディスク装置にセットされる前記光ディスク媒体に記録される前記管理情報、前記コンテンツデータ、及び前記アドレス参照情報の取得を行うデータ取得手段と、
取得した前記管理情報、前記コンテンツデータ及び前記アドレス参照情報の編集処理を行うデータ編集手段と、
前記データ編集手段により編集された前記管理情報及び前記アドレス参照情報を記録する不揮発性記録手段と、
を備える光ディスク再生装置であって、前記データ編集手段は、前記データ取得手段により取得する前記アドレス参照情報を編集することにより、前記コンテンツデータの再生順序の変更や一部削除を行い、編集済みアドレス参照情報を前記不揮発性記録手段に記録し、編集作業後に当該光ディスク媒体を再生する際、前記コンテンツデータの再生順を前記不揮発性記録手段に記録される編集済みアドレス参照情報による再生順とすることを特徴とする。
【０００９】
請求項１の構成によれば、コンテンツデータの再生を行う際に必要な、コンテンツデータのどの部分を再生するかを示すアドレス参照情報を、不揮発性記録手段に記録をし、このアドレス参照情報に編集を加え、次回同じ光ディスク媒体を再生する場合、当該光ディスク媒体に記録済みであるアドレス参照情報ではなく、不揮発性記録手段に記録される編集済みアドレス参照情報により、当該光ディスク媒体に記録されるコンテンツデータを再生することができる。
【００１０】
請求項２に係るコンテンツ編集機能を有する光ディスク再生装置は、請求項１記載のコンテンツ編集機能を有する光ディスク再生装置において、前記データ編集手段は、光ディスク媒体に記録される前記アドレス参照情報を編集する際に、該アドレス参照情報を前記不揮発性記録手段に複製を記録し、該アドレス参照情報の複製に対して編集作業を行うことを特徴とする。
【００１１】
請求項２の構成によれば、アドレス参照情報を編集する際に、該アドレス参照情報を不揮発性記録手段にコピーし、このコピーに対して編集作業を行うことができる。
【００１２】
請求項３に係るコンテンツ編集機能を有する光ディスク再生装置は、請求項１又は２記載のコンテンツ編集機能を有する光ディスク再生装置において、前記データ編集手段は、光ディスク媒体に記録される前記アドレス参照情報と、前記編集済みアドレス参照情報との差分を、前記不揮発性記録手段に記録することを特徴とする。
【００１３】
請求項３の構成によれば、編集済みアドレス参照情報を不揮発性記録手段に記録する際、実際に記録させる部分を、光ディスク媒体に記録されるアドレス参照情報との差分に限定することで、使用する不揮発性記録手段の記録容量を最小限に抑えることができる。
【発明の効果】
【００１４】
請求項１に係るコンテンツ編集機能を有する光ディスク再生装置は、１つ以上のコンテンツデータと、該コンテンツデータのタイトルメニューなどを含む管理情報と、前記コンテンツデータの所定のポイントを指し示すためのアドレス参照情報を記録する光ディスク媒体からデータの読み込み若しくは読み書きを行うディスクユニットと、
前記ディスク装置にセットされる前記光ディスク媒体に記録される前記管理情報、前記コンテンツデータ、及び前記アドレス参照情報の取得を行うデータ取得手段と、
取得した前記管理情報、前記コンテンツデータ及び前記アドレス参照情報の編集処理を行うデータ編集手段と、
前記データ編集手段により編集された前記管理情報及び前記アドレス参照情報を記録する不揮発性記録手段と、
を備える光ディスク再生装置であって、前記データ編集手段は、前記データ取得手段により取得する前記アドレス参照情報を編集することにより、前記コンテンツデータの再生順序の変更や一部削除を行い、編集済みアドレス参照情報を前記不揮発性記録手段に記録し、編集作業後に当該光ディスク媒体を再生する際、前記コンテンツデータの再生順を前記不揮発性記録手段に記録される編集済みアドレス参照情報による再生順とするので、再生専用である光ディスク再生装置であってもユーザが所望の順序によりコンテンツの編集を行うことができ、当該光ディスクの再生を行うこと際、記録した編集済みの再生順序によりコンテンツデータの再生を行うことができる。
【００１５】
請求項２に係るコンテンツ編集機能を有する光ディスク再生装置は、請求項１記載のコンテンツ編集機能を有する光ディスク再生装置において、前記データ編集手段は、光ディスク媒体に記録される前記アドレス参照情報を編集する際に、該アドレス参照情報を前記不揮発性記録手段に複製を記録し、該アドレス参照情報の複製に対して編集作業を行うので、光ディスク媒体に記録されるアドレス参照情報を基にして編集作業が行えると共に、再度編集作業をやり直す際、光ディスク媒体に記録されるアドレス参照情報を再度コピーすることで編集作業の初期化を行うことができ、編集作業の簡略化が図れる。
【００１６】
請求項３に係るコンテンツ編集機能を有する光ディスク再生装置は、請求項１又は２記載のコンテンツ編集機能を有する光ディスク再生装置において、前記データ編集手段は、光ディスク媒体に記録される前記アドレス参照情報と、前記編集済みアドレス参照情報との差分を、前記不揮発性記録手段に記録するので、編集済みアドレス参照情報の保存をする際に必要な前記不揮発性記録手段の記録容量を最小限に抑えることができる。
【発明を実施するための最良の形態】
【００１７】
以下、本発明を実施するための最良の形態としての実施例を図１から図１６を参照して説明する。もちろん、本発明は、その発明の趣旨に反さない範囲で、実施例において説明した以外のものに対しても容易に適用可能なことは説明を要するまでもない。
【００１８】
図１〜図１６は、本発明の実施例を示し、図１及び図２は、光ディスク再生装置の構成を示すブロック図であり、図１は未編集の光ディスク媒体を再生する場合の構成を示し、図２は編集済みの光ディスク媒体を再生する場合の構成を示している。図３は光ディスク媒体に記録される各種情報を管理するためのディレクトリ構造を示す説明図である。図４及び図５は、光ディスク媒体に記録される管理情報のデータ構造を示す説明図である。図６は光ディスク媒体に記録されるコンテンツデータの再生順序を示すアドレス参照情報のデータ構造を示す説明図である。図７は、コンテンツデータを指し示すアドレス参照情報のアドレスフローを示す説明図である。図８〜１０は、不揮発性メモリに記録されたアドレス情報を用いてコンテンツデータの一部であるタイトル毎の仮想的な削除の方法を示す説明図である。図１１は、編集済みタイトルのアドレス参照情報の差分データのみを不揮発性メモリに記録する方法を示す説明図である。図１２は、編集済みタイトルのアドレス参照情報であることを示すマークを施す方法を示す説明図である。図１３及び図１４は、コンテンツデータのセル単位の削除を行う方法を示す説明図である。図１５はセルの挿入によりコンテンツデータの編集を行う方法を示す説明図である。図１６は、セルより更に小さな単位でコンテンツデータを編集する方法を示す説明図である。
【００１９】
本実施例における光ディスク再生装置の構成について、図１及び図２に基づいて説明する。図１は光ディスク媒体に記憶される管理情報及びアドレス参照情報を用いてコンテンツを再生する際の光ディスク再生装置の構成及び動作を示し、図２は装置内部に備える不揮発性メモリに記憶される編集済み管理情報及びアドレス参照情報を用いてコンテンツを再生する際の光ディスク装置の構成及び動作を示している。１は光ディスク再生装置である。２は映像や音声等からなるコンテンツを記録した光ディスク媒体であり、管理情報２ａ、アドレス参照情報２ｂ、コンテンツデータたるビデオオブジェクト２ｃが記録されている。４は光ディスク媒体２に記録された管理情報２ａ、アドレス参照情報２ｂ、ビデオオブジェクト２ｃを読み取るデータ取得手段たるピックアップユニットであり、５はピックアップユニットにより得られたコンテンツの再生する映像音声処理手段である。６は制御部たるマイコンであり、ビデオオブジェクト２ｃの再生順序等を編集するデータ編集手段６１を有する。７はデータ編集手段６１により編集された管理情報２ａ及びアドレス参照情報２ｂを記憶するための不揮発性記憶手段たる不揮発性メモリである。７１はデータ編集手段６１により編集されたビデオオブジェクト２ｃの再生順序であるディスク２の編集済み管理情報及びアドレス参照情報である。７２は図示しない別の光ディスク媒体３に対して編集が行われたディスク３の編集済み管理情報及びアドレス参照情報である。８は光ディスク再生装置１のユーザによる操作を行うための操作部であり、９は光ディスク再生装置１を遠隔操作するためのリモコンである。
【００２０】
次に、データ編集手段６１による管理情報の編集動作について、図３〜１６に基づいて説明する。図３は光ディスク媒体であるＤＶＤ（Ｄｉｇｉｔａｌ  Ｖｉｒｓａｔｉｌｅ  Ｄｉｓｃ）の記録フォーマットの一つであるＶＲフォーマットのディレクトリ構造である。Ｒｏｏｔディレクトリに形成されたＤＶＤ＿ＲＴＡＶディレクトリに、コンテンツや該コンテンツの再生の際に必要な設定を有するファイルが保存されている。ＶＲ＿ＭＡＮＧＲ．ＩＦＯは管理情報ファイルであり、ＶＲ＿ＭＯＶＩＥ．ＶＲＯはビデオオブジェクト２ｃが記録されるファイルであり、ＶＲ＿ＳＴＩＬＬ．ＶＲＯは静止画像記録用ファイルであり、ＶＲ＿ＡＵＤＩＯ．ＶＲＯは静止画に追加する音声ファイルであり、ＶＲ＿ＭＡＮＧＲ．ＢＵＰは前述の管理情報ファイルのバックアップファイルである。
【００２１】
図４及び５は図３に示す管理情報ファイルであるＶＲ＿ＭＡＮＧＲ．ＩＦＯに記録されるデータの構造を示している。Ｍ＿ＶＯＢＩは実際の映像や音声などのコンテンツにアクセスするためのアドレス等が記録されており、Ｍ_ＶＯＢ_ＧＩ（Ｍｏｖｉｅ  ＶＯＢ  Ｇｅｎｅｒａｌ  Ｉｎｆｏｒｍａｔｉｏｎ）やＴＭＡＰ（Ｔｉｍｅ  ＭＡＰ）などのアドレス情報が記録されている。図４、図５、図１６で示されるＭ＿ＶＯＢＩに含まれるデータ構造はこれが全てではなく、例えばＳＭＬＩ（Ｓｅａｍｌｅｓｓ  Ｉｎｆｏｒｍａｔｉｏｎ)やＡＧＡＰＩ（Ａｕｄｉｏ  Ｇａｐ  Ｉｎｆｏｒｍａｔｉｏｎ）もあるが、本発明に関与しない情報は省略してある。Ｍ＿ＶＯＢＩに含まれるＴＭＡＰはＴＭ＿ＥＮＴとＶＯＢＵ＿ＥＮＴが含まれる。ＴＭ＿ＥＮＴは実際のコンテンツデータが含まれるＶＯＢＵに対して等間隔のインターバルで割り振られた時間のアドレスが記録されている。ＶＯＢＵ＿ＥＮＴは実際に再生されるＶＯＢＵと同数存在し、ＶＯＢＵのサイズや再生時間などが記録されている。ＯＲＧ＿ＰＧＣＩＴにはＰＧＩ（Ｐｒｏｇｒａｍ  Ｉｎｆｏｒｍａｔｉｏｎ）やＣＩ（Ｃｅｌｌ  Ｉｎｆｏｒｍａｔｉｏｎ）などが記録され、通常番組や映画などのコンテンツの単位であるタイトルやチャプターに関する情報や、タイトル名などが記録されている。ＯＲＧ＿ＰＧＣＩＴにはＰＧＣ＿ＧＩ、ＰＧＩ、ＣＩ＿ＳＲＰ、ＣＩが記録されている。ＰＧＣ＿ＧＩにはプログラム数、セル数が記録されている。ＰＧＩはタイトル毎の情報であり、このプログラムに含まれるセルの数(Ｃ＿Ｎｓ)やタイトル名が記録されている。ＣＩ＿ＳＲＰは１つのＣＩへのアドレスが記録されており、ＣＩと同数記録されている。ＣＩはこのセルの再生開始時間と再生終了時間、チャプターの位置、Ｍ＿ＶＯＢＩ番号などが記録されており、Ｍ＿ＶＯＢＩ番号を得ることにより該当のＭ＿ＶＯＢＩへアクセスすることができる。
【００２２】
次に、ＤＶＤに記憶されるコンテンツであるオリジナルタイトルを構成するＯＲＧ＿ＰＧＣＩＴのデータ構造について、図６に基づいて説明する。ＯＲＧ＿ＰＧＣＩＴは、図６に示すように、ＰＧＣ＿ＧＩ（Ｐｒｏｇｒａｍ  Ｃｈａｉｎ  Ｇｅｎｅｒａｌ  Ｉｎｆｏｒｍａｔｉｏｎ）、ＰＧＩ（Ｐｒｏｇｒａｍ  Ｉｎｆｏｒｍａｔｉｏｎ）、ＣＩ＿ＳＲＰ（Ｃｅｌｌ  Ｉｎｆｏｒｍａｔｉｏｎ  Ｓｅａｒｃｈ  Ｐｏｉｎｔｅｒ）、ＣＩ（Ｃｅｌｌ  Ｉｎｆｏｒｍａｔｉｏｎ）から構成されている。１つのオリジナルタイトルは、１つのプログラムで構成され、ＰＧＣ＿ＧＩは全体のプログラム数を保持している。ＰＧＩは個々のプログラムを示しており、ＰＧＣ＿ＧＩで規定される全体のプログラム数分存在する。ＰＧＩは複数のセルと呼ばれるデータの集合から構成されており、それぞれのＰＧＩはセルにアクセスするためのＣＩ＿ＳＲＰと関連づいている。例えば、図６のようにｎ個のＰＧＩと、ｍ個のＣＩ＿ＳＲＰにより構成されるものとし（ｎ番目のＰＧＩをＰＧＩ＃ｎと表記し、ｍ番目のＣＩ＿ＳＲＰをＣＩ＿ＳＲＰ＃ｍと表記する。）、ＰＧＩ＃１は５個のセルを、ＰＧＩ＃２は２個のセルを、ＰＧＩ＃ｎ−１は１０個のセルを、ＰＧＩ＃ｎは５つのセルを有するものとすると、ＣＩ＿ＳＲＰ＃１からＣＩ＿ＳＲＰ＃５はＰＧＩ＃１を構成するセルであり、ＣＩ＿ＳＲＰ＃６及びＣＩ＿ＳＲＰ＃７はＰＧＩ＃２を構成するセルである。以降、図６に示すよう、それぞれのＰＧＩは、それぞれから矢印によって示される破線で囲まれた１つ又は複数のＣＩ＿ＳＲＰから構成される。ＣＩ＿ＳＲＰは、それぞれが唯一のＣＩと関連づいており、ＣＩはビデオオブジェクト２ｃにアクセスするためのアドレス参照情報２ｂを有している。
【００２３】
次に、特定のプログラムを示すＰＧＩが、ビデオオブジェクト２ｃにアクセスする場合について、図７に基づいて説明する。ｎ番目のＰＧＩであるＰＧＩ＃ｎはｒ番目からｒ＋ｘ番目のＣＩ＿ＳＲＰから構成されているものとすると、ＰＧＩ＃ｎからビデオオブジェクト２ｃにアクセスする場合のアドレスフローは図７のようになる。ＣＩにアクセスすると、Ｍ＿ＶＯＢＩ＿ＳＲＰ（Ｍｏｖｉｅ  ＶＯＢ  Ｉｎｆｏｒｍａｔｉｏｎ  Ｓｅａｒｃｈ  Ｐｏｉｎｔｅｒ）を取得することができる。Ｍ＿ＶＯＢＩ＿ＳＲＰから、Ｍ＿ＶＯＢＩ（Ｍｏｖｉｅ  ＶＯＢ  Ｉｎｆｏｒｍａｔｉｏｎ）のアドレスを得ることができ、Ｍ＿ＶＯＢＩからビデオオブジェクト２ｃへアクセスするための情報を得る。以上のように、ビデオオブジェクト２ｃにアクセスするには、ＰＧＩ、ＣＩ＿ＳＲＰ、ＣＩ、Ｍ＿ＶＯＢＩ＿ＳＲＰ、Ｍ＿ＶＯＢＩと順次アドレス情報にアクセスしなければならない。但し、ＣＩとＭ＿ＶＯＢＩ＿ＳＲＰは必ずしも１対１の関係ではなく、複数のＣＩが１つのＭ＿ＶＯＢＩ＿ＳＲＰにアクセスする場合もある。
【００２４】
コンテンツの編集を行う、即ちビデオオブジェクト２ｃへのアクセス順序を変更するためには、ＣＩ＿ＳＲＰ及びＣＩに対して、削除または変更を行い、又はＣＩ＿ＳＲＰ及びＣＩの並びに、新たにユーザが所望のビデオオブジェクト２ｃへのアクセスのためのＭ＿ＶＯＢＩ＿ＳＲＰを指し示すＣＩ＿ＳＲＰ及びＣＩを挿入することで、実現することができる。
【００２５】
次に、プログラム単位の削除を行う際のデータ編集手段６１の動作について、図６に示すアドレス参照情報のデータ構造から、ＰＧＩ＃２を削除する事例として、図８〜１０に基づいて説明する。ユーザがプログラムＰＧＩ＃２の削除を行う場合、図８に示すようにＰＧＩ＃２はセル２つと関連付いており、直前のＰＧＩは合計で５つであるため、ＰＧＩ＃２と関連づいているＣＩ＿ＳＲＰは＃６及び＃７である。ＣＩ＿ＳＲＰ＃６及びＣＩ＿ＳＲＰ＃７は、それぞれＣＩ＃６、ＣＩ＃７を参照するので、図９に示すようにデータ編集集団６１によりＰＧＩ＃２、ＣＩ＿ＳＲＰ＃６、ＣＩ＿ＳＲＰ＃７、ＣＩ＃６、ＣＩ＃７を削除する。その後、図１０に示すように、並び換えを行い、これを不揮発性メモリ７に記録する。これにより、ビデオオブジェクト２ｃを物理的に消去せずとも、該当箇所への参照を削除することにより、ユーザが所望のプログラムの削除処理を行うことができる。
【００２６】
前述のプログラムの削除方法のほかに、図１１のように、削除するプログラムＰＧＩ＃２、それに関連付くＣＩ＿ＳＲＰ＃６、７、及びＣＩ＃６、ＣＩ＃７を不揮発性メモリ７に差分データとして記憶し、光ディスク媒体２を再生する際、アドレス参照情報２ｂに対して、不揮発性メモリ７に記憶された上記差分データを反映させることで、ユーザが所望のプログラムの削除を行った状態でコンテンツの再生を行うことができる。また、図１２のように、削除するプログラムに対して削除済みであることを示す情報を設け、コンテンツの再生の際、当該削除情報を検知したら、そのプログラムの再生をスキップするように構成しても良い。
【００２７】
次にセル単位の削除の方法について、図１３及び１４に基づいて説明する。削除するセルを包含するプログラムをＰＧＩ＃２とし、ＰＧＩ＃２はｉ個のセルを有するものとする。ＰＧＩにはプログラムに含まれるセル数がＣ＿Ｎｓとして記録されており、セルを削除する場合は、削除後のセル数をＣ＿Ｎｓとして改めて記録する必要がある。図１３に示すように、ユーザが削除を所望するセルが、破線により囲まれた部分である場合、残るセル数は４であるため、図１４に示すようにＣ＿Ｎｓ＝４とすると共に、破線部分により囲まれたＣＩ＿ＳＲＰ及びＣＩを削除し、編集済みアドレス参照情報として不揮発性メモリ７に記録する。
【００２８】
次にプログラムに対するセルの追加を行う方法について、図１５に基づいて説明する。図１５（ａ）は、セルの追加を行う前のプログラムの状態を示しており、セル数Ｃ＿Ｎｓはｉである。破線で囲まれた箇所に、Ｍ＿ＶＯＢＩ＿ＳＲＰ＃５５及びＭ＿ＶＯＢＩ＃５５、Ｍ＿ＶＯＢＩ＿ＳＲＰ＃５６及びＭ＿ＶＯＢＩ＃５６にて指定される２つのビデオオブジェクトを挿入したい場合、図１５（ｂ）のように、新たに２つのセルを追加し、Ｃ＿Ｎｓをｉ＋２に修正する。
【００２９】
次にセル内部で編集する場合の例を、図１６に基づいて説明する。ＣＩが指し示すＭ＿ＶＯＢＩ＿ＳＲＰからは、ビデオオブジェクトのアドレスを示すＭ＿ＶＯＢＩが得られ、このＭ＿ＶＯＢＩは図１６に示すようなデータ構造をしている。Ｍ＿ＶＯＢＩは、再生開始時間や再生終了時間などが記録されるＭ＿ＶＯＢＩ＿ＧＩ（Ｍ＿ＶＯＢＩ  Ｇｅｎｅｒａｌ  Ｉｎｆｏｒｍａｔｉｏｎ）と、ＴＭＡＰＩ（Ｔｉｍｅ  ＭＡＰ  Ｉｎｆｏｒｍａｔｉｏｎ）が記録されている。ＴＭＡＰＩはＴＭＡＰ＿ＧＩ（ＴＭＡＰ  Ｇｅｎｅｒａｌ  Ｉｎｆｏｒｍａｔｉｏｎ）、ＴＭ＿ＥＮＴ（Ｔｉｍｅ  Ｍａｐ  Ｅｎｔｒｙ）、ＶＯＢＵ＿ＥＮＴ（ＶＯＢＵ  Ｅｎｔｒｙ）により構成されている。ＴＭＡＰ＿ＧＩはＴＭ＿ＥＮＴの数を示すＴＭ＿ＥＮＴ＿Ｎｓ及びＶＯＢＵ＿ＥＮＴの数を示すＶＯＢＵ＿ＥＮＴ＿Ｎｓとが記録されている。ＶＯＢＵ＿ＥＮＴには、通常０．４〜１．０秒の映像・音声データが含まれるＶＯＢＵにアクセスするためのアドレス参照情報が記録されている。所望の映像・音声データの削除には、削除対象となるＶＯＢＵ＿ＥＮＴに削除されたことを意味する情報を追加し、再生時にこの削除情報を検知した場合は、該当ＶＯＢＵ＿ＥＮＴが指し示すＶＯＢＵの再生をスキップする。
【００３０】
以上のように、データ編集手段６１によりアドレス参照情報の編集を行い、不揮発性メモリ７に記憶することにより、次回に編集が行われた光ディスク媒体２がセットされた場合、光ディスク媒体２に記録された管理情報２ａ及びアドレス参照情報２ｂに基づいてコンテンツの再生を行うのではなく、不揮発性メモリ７に記録されるディスク２の編集済み管理情報及びアドレス参照情報７１に基づいてコンテンツの再生を行うことで、例えば追記や変更が不可能な光ディスク媒体に対する編集作業を行うことが可能であり、又、録画編集機能を持たない光ディスク再生装置においても、ユーザが所望のコンテンツの編集を行うことができる。
【図面の簡単な説明】
【００３１】
【図１】本発明の実施例における、光ディスク再生装置の構成を示すブロック図である
【図２】同上、編集済みの光ディスク媒体を再生する際の光ディスク再生装置の構成を示すブロック図である。
【図３】同上、光ディスク媒体に記録されるディレクトリ構成を示す説明図である。
【図４】同上、光ディスク媒体に記録される管理情報ファイルであるＶＲ＿ＭＡＮＧＲ．ＩＦＯのデータ構造を示す説明図である。
【図５】同上、光ディスク媒体に記録される管理情報ファイルであるＶＲ＿ＭＡＮＧＲ．ＩＦＯのデータ構造を示す説明図である。
【図６】同上、ＶＲ＿ＭＡＮＧＲ．ＩＦＯに含まれる情報のテーブルの１つであるＯＲＧ＿ＰＧＣＩＴのデータ構造を示す説明図である。
【図７】同上、コンテンツを構成するプログラムがビデオオブジェクトを参照するためのアドレスフローを示す説明図である。
【図８】同上、プログラム単位でコンテンツを削除する際の、削除対象となるプログラム及びセルを選択した状態のＯＲＧ＿ＰＧＣＩＴのデータ構造を示す説明図である。
【図９】同上、図８にて選択されたプログラム及びセルを削除した状態を示すＯＲＧ＿ＰＧＣＩＴのデータ構造の説明図である
【図１０】同上、図９にて削除された後、プログラム及びセルを並び替えた状態を示すＯＲＧ＿ＰＧＣＩＴのデータ構造の説明図である。
【図１１】同上、削除するプログラム及びセルの差分を記憶する方法を示すＯＲＧ＿ＰＧＣＩＴのデータ構造の説明図である。
【図１２】同上、編集したプログラムに削除済みを示す情報を付加した状態を示すＯＲＧ＿ＰＧＣＩＴのデータ構造の説明図である。
【図１３】同上、セル単位の削除を行う方法を示すプログラムのデータ構造の説明図である。
【図１４】同上、セル単位の削除を行った状態を示すプログラムのデータ構造の説明図である。
【図１５】同上、プログラムに新たなセルを追加する方法を示すプログラムのデータ構造の説明図であり、（ａ）は追加前、（ｂ）は追加後を示す。
【図１６】同上、セルの内部のビデオオブジェクトの参照情報を一部削除する方法を示す説明図である。
【符号の説明】
【００３２】
１    光ディスク再生装置
２    光ディスク媒体
２ａ  管理情報
２ｂ  アドレス参照情報
２ｃ  ビデオオブジェクト（コンテンツデータ）
４    ピックアップユニット（データ取得手段）
６    制御部
６１  データ編集手段
７    不揮発性メモリ（不揮発性記憶手段）
【図１】
2007294065.tif 000003
【図２】
2007294065.tif 000004
【図３】
2007294065.tif 000005
【図４】
2007294065.tif 000006
【図５】
2007294065.tif 000007
【図６】
2007294065.tif 000008
【図７】
2007294065.tif 000009
【図８】
2007294065.tif 000010
【図９】
2007294065.tif 000011
【図１０】
2007294065.tif 000012
【図１１】
2007294065.tif 000013
【図１２】
2007294065.tif 000014
【図１３】
2007294065.tif 000015
【図１４】
2007294065.tif 000016
【図１５】
2007294065.tif 000017
【図１６】
2007294065.tif 000018